(57)【要約】【課題】大きい被梱包物を梱包する箱本体に小さい被梱包物を梱包する小箱を容易に取付けることができて、小箱が嵩張らない梱包用箱を提供する。【解決手段】大きい被梱包物を梱包する箱本体２と、小さい被梱包物を梱包する小箱３からなる梱包用箱１であって、箱本体２の小箱３を押し込んで挿入する箇所には仮蓋４が形成されており、小箱３には、箱本体２に押し込んで挿入した際に箱本体２の内部に入り込むのを防止するストッパー３ａが形成された構成とする。箱本体２の仮蓋４が形成された箇所に小箱３を押し込んで挿入するという簡単な作業で小箱３を取り付けることができ、在庫時は、仮蓋４を閉じておけば埃等の異物が箱本体２の内部に侵入する心配もない。小箱３を取り付けても出っ張らないので、梱包用箱１を上下方向に積み上げることができると共に、輸送時に小箱３が破損や脱落してしまう心配がない。【選択図】図１
2012116502.tif 000002
【特許請求の範囲】
【請求項１】
大きい被梱包物を梱包する箱本体と、小さい被梱包物を梱包する小箱からなる梱包用箱であって、
箱本体の小箱を押し込んで挿入する箇所には仮蓋が形成されており、小箱には、箱本体に押し込んで挿入した際に箱本体の内部に入り込むのを防止するストッパーが形成されていることを特徴とする梱包用箱。
【請求項２】
仮蓋が、少なくとも一部分を起点に開閉する開閉蓋であることを特徴とする請求項１に記載の梱包用箱。
【請求項３】
箱本体と小箱のストッパーを固定したことを特徴とする請求項１又は請求項２に記載の梱包用箱。
【請求項４】
内側に９０度折り曲げることにより小箱を封緘する３つ又は４つの封緘片のうち、２つの封緘片を外側に９０度折り曲げて小箱のストッパーとして利用したことを特徴とする請求項１ないし請求項３のいずれかに記載の梱包用箱。
【請求項５】
箱本体に切れ目を入れることで仮蓋を形成し、その切れ目が完全に繋がっていないことを特徴とする請求項１ないし請求項４のいずれかに記載の梱包用箱。
【発明の詳細な説明】
【技術分野】
【０００１】
本発明は、少なくとも２つの被梱包物を梱包することのできる梱包用箱に関するものである。
【背景技術】
【０００２】
複数の被梱包物を段ボール箱に梱包する場合、１つの段ボール箱に収納されることが多いが、被梱包物を段ボール箱に収納して封緘したのちに、更に別の被梱包物を追加する場合や、付属品（リモコン等）や期間限定のノベルティグッズなどを梱包する場合は、メインの段ボール箱には梱包されず、サブの付属品箱に収納されて、ガムテープやビニルテープなどでメインの段ボール箱の上面或いは側面に貼り付けられることが多い。
【０００３】
けれども、上記のように、付属品箱を段ボール箱の上面に貼り付けると、段ボール箱を積み上げることができず、保管効率が著しく低下するという問題が生じる。また、付属品箱を段ボール箱の側面に貼り付けると、段ボール箱の横方向に付属品が出っ張っているので、輸送時に剥がれたり破損してしまう恐れがある。
【０００４】
かかる事情から、機器を収納するカートン本体と、付属品を収納する付属品収納箱とから構成され、カートン本体の側面に開閉片を形成し、該開閉片を外側に開くことでカートン本体の側面に形成される開口部に、付属品収納箱を抜き差し自在に収納した機器収容用カートンが提案された（特許文献１）。
【０００５】
上記特許文献１の機器収容用カートンは、カートン本体の側面に付属品収納箱が収納されるので、カートン本体を上下方向に積み上げることができ、また、積み上げてからでも、付属品収納箱はカートン本体の側面から取り出したり取り付けたりすることができるので、一旦梱包した付属品を後から変更することもできた。
【先行技術文献】
【特許文献】
【０００６】
【特許文献１】特開２０００−００６９５１号公報
【発明の概要】
【発明が解決しようとする課題】
【０００７】
しかしながら、上記特許文献１の機器収容用カートンは、開閉片を手前に開くという作業が意外と困難であり、加えて、付属品収納箱を斜めに挿入しながら開閉片を袋部に挿入するという作業も手間で時間を要するものであった。また、開閉片や付属品収納箱がカートン本体の横方向に出っ張るので、輸送時に破損してしまう恐れもあった。
【０００８】
本発明は上記の問題に鑑みてなされたもので、その解決しようとする課題は、大きい被梱包物を梱包する箱本体に小さい被梱包物を梱包する小箱を容易に取付けることができて、小箱が嵩張らない梱包用箱を提供することにある。
【課題を解決するための手段】
【０００９】
上記目的を達成するため、本発明に係る梱包用箱は、大きい被梱包物を梱包する箱本体と、小さい被梱包物を梱包する小箱からなる梱包用箱であって、箱本体の小箱を押し込んで挿入する箇所には仮蓋が形成されており、小箱には、箱本体に押し込んで挿入した際に箱本体の内部に入り込むのを防止するストッパーが形成されていることを特徴とするものである。
【００１０】
本発明の梱包用箱においては、仮蓋が、少なくとも一部分を起点に開閉する開閉蓋であることが好ましく、箱本体と小箱のストッパーを固定したことがより好ましい。また、内側に９０度折り曲げることにより小箱を封緘する３つ又は４つの封緘片のうち、２つの封緘片を外側に９０度折り曲げて小箱のストッパーとして利用することが好ましく、更に、箱本体に切れ目を入れることで仮蓋を形成し、その切れ目が完全に繋がっていない梱包用箱が好ましい。
【発明の効果】
【００１１】
本発明の梱包用箱は、大きい被梱包物を梱包する箱本体と小さい被梱包物を梱包する小箱からなるので、メインの被梱包物を箱本体に梱包してからでも、様々な中身の被梱包物を後から小箱に梱包することで容易に追加することができる。また、小箱は、箱本体の仮蓋が形成された箇所に押し込んで挿入するという簡単な作業で取り付けることができるので、従来の機器収容用カートンのように、開閉片を手前に開いて付属品収納箱を斜めに挿入しながら開閉片を袋部に挿入するという面倒な作業が不要となる。更に、梱包用箱（箱本体）の在庫時は、仮蓋を閉じておけば埃等の異物が侵入する心配もない。このように、本発明の梱包用箱の小箱は、箱本体の仮蓋が形成された箇所に押し込んで挿入することで、小箱の大部分は箱本体の内部に収納されることになるので、梱包用箱を上下方向に積み上げることができると共に、小箱が箱本体から出っ張って、輸送時に破損や脱落してしまう心配がない。しかも、この小箱にはストッパーが形成されているので、小箱が箱本体の内部に入り込んでしまう心配もない。
【００１２】
また、仮蓋が、少なくとも一部分を起点に開閉する開閉蓋である梱包用箱は、少なくとも仮蓋の一部分が箱本体と分離せずに一体化しているので、箱本体の仮蓋が形成された箇所に小箱を押し込んで挿入しても、仮蓋の段ボールの切れ片が箱本体の内部に入り込んでしまうことがないし、梱包用箱を繰り返し使用することができるようになる。
【００１３】
更に、箱本体と小箱のストッパーを固定した梱包用箱は、小箱を確実に固定することで、輸送時等に小箱が箱本体から脱落してしまうのを防止することができる。
【００１４】
また、内側に９０度折り曲げることにより小箱を封緘する３つ又は４つの封緘片のうち、２つの封緘片を外側に９０度折り曲げて小箱のストッパーとして利用した梱包用箱は、元々小箱に形成されている封緘片をストッパーとして利用することで、新たにストッパーを形成するという手間が省ける。
【００１５】
更に、箱本体に切れ目を入れることで仮蓋を形成し、その切れ目が完全に繋がっていない梱包用箱は、小箱を押し込むだけで切れ目が繋がって仮蓋を開くことができるので、小箱をより簡単に取り付けることができる。しかも、仮蓋を形成する切れ目は、小箱を取り付ける前は完全に繋がっていないので、箱本体在庫時に仮蓋が開くことがなく、箱本体の内部に埃等の異物が侵入するのを防止すると共に、箱本体の強度不足による変形を抑制することができる。
【図面の簡単な説明】
【００１６】
【図１】本発明の一実施形態に係る梱包用箱を示す斜視図である。
【図２】同梱包用箱の仮蓋の種々の形成方法を示す説明図である。
【図３】同梱包用箱の小箱を示す斜視図である。
【図４】同小箱の他の固定方法を示す正面図である。
【図５】同小箱の更に他の固定方法を示す正面図である。
【図６】同梱包用箱の別形態の仮蓋を示す説明図である。
【図７】本発明の他の実施形態に係る梱包用箱を示す斜視図である。
【図８】本発明の更に他の実施形態に係る梱包用箱を示す斜視図である。
【図９】本発明の更に他の実施形態に係る梱包用箱を示す斜視図である。
【図１０】本発明の更に他の実施形態に係る梱包用箱を示す斜視図である。
【発明を実施するための最良の形態】
【００１７】
以下、図面を参照して本発明の具体的な実施形態を詳述する。
【００１８】
図１に示す本発明の梱包用箱１は、大きい被梱包物（不図示）を梱包する箱本体２と、小さい被梱包物（不図示）を梱包する小箱３からなり、主として箱本体２にはメインの商品（テレビ等）が梱包され、小箱３には付属品（リモコン等）やノベルティグッズなどが梱包されるようになっている。このように、箱本体２と小箱３を別体にすることで、メインの被梱包物を箱本体２に梱包して封緘してからでも、様々な中身の被梱包物を後から小箱３に梱包することで容易に追加することができるので、箱本体２に梱包される被梱包物と小箱３に梱包される被梱包物との組み合わせを後から自由に変更することができる。
【００１９】
箱本体２は、対向する前壁及び後壁と、対向する左右一対の側壁と、各側壁の上縁を基端縁として延出する一対の上側内フラップと、前壁及び後壁の上縁を基端縁として延出する一対の上側外フラップと、各側壁の下縁を基端縁として延出する一対の下側内フラップと、前壁及び後壁の下縁を基端縁として延出する一対の下側外フラップとを備える一般的な直方体の段ボール箱で、上記上側及び下側内フラップを内側に９０度折り込み、上側及び下側外フラップを内側に９０度折り込み、各内フラップの外側に各外フラップが重ねられた状態で封緘することで、下側の内フラップ及び外フラップが段ボール箱の底板を形成すると共に、上側の内フラップ及び外フラップが段ボール箱の蓋を形成するようになっている。
【００２０】
上記箱本体２の前壁の下端部は、図１に示すように、後述する小箱３を押し込んで挿入する箇所となっており、その為の仮蓋４が形成されている。この仮蓋４は、図１の（ｂ）に示すように、右側辺４ｃ及び左側辺４ｄの２辺を起点に箱本体２の内側に向って開閉する観音開きの開閉蓋４であって、図１の（ａ）に示すように、上辺４ａと下辺４ｂ、及び、上辺４ａの中間点から下辺４ｂに向って切れ目を入れると共に、右側辺４ｃ及び左側辺４ｄに折り目をつけることで形成されている。
尚、図面（図１〜図１０）においては、仮蓋４の四辺（上辺４ａ、下辺４ｂ、右側辺４ｃ、左側辺４ｄ）を表す破線は折り目を意味し、実線は切れ目を意味する。
【００２１】
上記のように、箱本体２に切れ目を入れることで形成される開閉蓋４は、まだ小箱３を取り付けていない状態である箱本体２の在庫時に、開閉蓋４が勝手に開いてしまうと、箱本体２の内部に埃等の異物が侵入する恐れが生じる。そこで、箱本体２の内部に異物が侵入するのを防止するために、上辺４ａと下辺４ｂ、及び、上辺４ａの中間点から下辺４ｂに向って入れられた略エ型の切れ目は、完全に繋がっていない。具体的には、図２の（ａ）に示すように、上辺４ａの中間点から下辺４ｂに向って入れる切れ目の中間に、切れ目を入れない箇所Ｐを１箇所設けたり（一点残し）、図２の（ｂ）に示すように、上辺４ａの中間点から下辺４ｂに向って入れる切れ目の中間に切れ目を入れない箇所Ｐを１箇所設けると共に、上辺４ａ及び下辺４ｂに切れ目を入れない箇所Ｐを２箇所設けたり（ポイント残し）、図２の（ｃ）に示すように、上辺４ａの中間点から下辺４ｂに向って入れる切れ目に切れ目を入れない箇所Ｐを複数箇所設けると共に、上辺４ａ及び下辺４ｂに切れ目を入れない箇所Ｐを複数箇所設けたり（ミシン目）すればよく、箱本体２の強度に合わせて一点残し、ポイント残し、ミシン目を適宜選択すればよい（箱本体２の強度が高いほど切れ目を入れない箇所Ｐは少なくてよい）。このように、開閉蓋４を形成する際に、略エ型の切れ目を完全に繋げないことで、箱本体２の在庫時に開閉蓋４が勝手に開いてしまうことがなく、埃等の異物の侵入を防止すると共に、箱本体２の変形も抑制することができる。また、小箱３を取り付ける際は、小箱３を押し込むだけで切れ目を入れていない箇所Ｐが切れて、略エ型の切れ目が完全に繋がるので、簡単に取り付けることができる。
【００２２】
上記のように、上辺４ａと下辺４ｂ、及び、上辺４ａの中間点から下辺４ｂに向った略エ型の切れ目を入れて形成される開閉蓋４は、開閉蓋４を開けても、上辺４ａの１／２の寸法分だけしか開閉蓋４が箱本体２の内部に侵入しないので、箱本体２に梱包される被梱包物への影響が少ない。また、小箱３を押し込んで挿入しても、右側辺４ｃ及び左側辺４ｄの２辺が箱本体２と分離せずに一体化しているので、開閉蓋４の切れ片が箱本体２の内部に入り込んでしまうことがなく、箱本体２を繰り返し使用できるというメリットもある。
尚、本実施形態の開閉蓋４は左右対称の観音開きであるが、箱本体２に梱包される被梱包物の大きさや形状によっては、開閉蓋４を開けた際に被梱包物に接触（干渉）してしまう場合があるので、そのような際は、開閉蓋４を左右非対称（１／２ずつではない）に形成してもよい。
【００２３】
本実施形態の開閉蓋４は、上記のように左右対称の観音開きであるが、開閉蓋４はこれに限定されるものではない。即ち、図６の（ａ）に示すように、右側辺４ｃと左側辺４ｄ、及び、右側辺４ｃの中間点から左側辺４ｄに向って略Ｈ型の切れ目を入れると共に、上辺４ａ及び下辺４ｂに折り目をつけて、上辺４ａ及び下辺４ｂを起点に、箱本体２の内側に向って開閉する上下開きの開閉蓋４０であってもよい。この開閉蓋４０は、上記の開閉蓋４と同様に、右側辺４ｃの１／２の寸法分だけしか開閉蓋４０が箱本体２の内部に侵入しないので、箱本体２に梱包される被梱包物への影響が少なく、小箱３を押し込んで挿入した際に、下辺４ｂを起点に内側に向って開いた開閉蓋４０が底壁の役割を果たすので、小箱３が箱本体２の内部に落ちる心配がない。また、図６の（ｂ）に示す形態の開閉蓋４１であってもよい。この開閉蓋４１は、上辺４ａと右側辺４ｃと左側辺４ｄに略逆凹型の切れ目を入れると共に、下辺４ｂに折り目をつけることで形成されたもので、下辺４ｂを起点に、箱本体２の内側に向って開閉（起倒）するようになっている。この開閉蓋４１は面積が大きいので、小箱３を押し込んで挿入した際に底壁の役割を果たし、小箱３が箱本体２の内部に落ちることなく安定して取り付けることができるというメリットがある。更に、図６の（ｃ）に示すように、上辺４ａ、下辺４ｂ、及び、右側辺４ｃに略コ字型の切れ目を入れると共に、左側辺４ｄに折り目をつけることで開閉蓋４２を形成してもよい。この開閉蓋４２は、左側辺４ｄを起点に、箱本体２の内側に向って開閉する（ドア開き）ものである。この図６の（ｂ）又は図６の（ｃ）に示す開閉蓋４１，４２は、小箱３を押し込んで挿入すると、開閉蓋４１の場合は右側辺４ｃの寸法分、また、開閉蓋４２の場合は上辺４ａの寸法分だけ箱本体２の内部に侵入することになるので、箱本体２に梱包される被梱包物への影響が、上記の開閉蓋４，４０に比べて大きいが、上記の開閉蓋４，４０に比べると、より容易に形成できるというメリットがある。
尚、上記の開閉蓋４，４０，４１，４２は、小箱３を押し込んで挿入しても、開閉蓋４，４０，４１，４２が箱本体２と分離せずに一体化しているので、その切れ片が箱本体２の内部に入り込んでしまうことがなく、箱本体２を繰り返し使用できるというメリットがあるが、箱本体２を再利用しないのであれば、上辺４ａ、下辺４ｂ、右側辺４ｃ、左側辺４ｄの４辺全てに切れ目（一点残し、ポイント残し、ミシン目は適宜選択）を入れて、小箱３を押し込んで挿入した際に、仮蓋４の切れ片が箱本体２の内部に入り込む（落ち込む）ようにしてもよい。
【００２４】
次に、上記箱本体２の仮蓋４が形成された箇所に押し込んで挿入される小箱３は、図３の（ａ）に示すように、対向する上壁及び下壁と、対向する左右一対の側壁と、各側壁の前縁を基端縁として、左右の側壁間の１／２の寸法分だけ延出された左右一対の封緘片３ａ，３ａと、上壁及び下壁の前縁を基端縁として、上下の壁間の１／２の寸法分だけ延出された上下一対の封緘片３ｂ，３ｂと、各側壁の後縁を基端縁として延出する一対の後側内フラップと、上壁及び下壁の下縁を基端縁として延出する一対の後側外フラップとを備え、上記左右の封緘片３ａ，３ａ及び上下の封緘片３ｂ，３ｂと、後側内フラップ及び後側外フラップを内側に９０度折り曲げることにより封緘する直方体の段ボール箱であって、この小箱３は、その一面（特に前面）に中身（品名や色など）が識別可能な表示や印があると、誤って間違った被梱包物を梱包した小箱３を箱本体２に取り付けてしまうという失敗が減少するので好ましい。このように、通常であれば上記左右の封緘片３ａ，３ａと上下の封緘片３ｂ，３ｂを内側に９０度折り曲げることにより小箱３を封緘するが、本実施形態では、各側壁の前縁を基端縁として延出された左右一対の封緘片３ａ，３ａを小箱３のストッパー３ａとして利用している。
尚、中身が識別可能な表示や印は、上下の封緘片３ｂ，３ｂを封緘した際に、表側から視認できるところに附すことがよいことは言うまでもない。
【００２５】
このストッパー３ａは、箱本体２の仮蓋４が形成された箇所に小箱３を押し込んで挿入した際に、小箱３が箱本体２の内部に入り込むのを防止すると共に、箱本体２と小箱３とを固定するためのもので、各側壁の前縁を基端縁として延出された左右一対の封緘片３ａ，３ａを、通常のように内側に９０度折り曲げずに、９０度外側に折り曲げることでストッパー３ａとして利用している。このように、元々小箱３に形成されている左右の封緘片３ａ，３ａをストッパー３ａとして利用することで、新たにストッパー３ａを形成するという手間が省ける。
尚、本実施形態では左右の封緘片３ａ，３ａを小箱３のストッパー３ａとしているが、上下の封緘片３ｂ，３ｂを小箱３のストッパーとしてもよい。
また、ストッパーとして利用する封緘片３ａ又は３ｂは、左右の側壁間の１／２の寸法又は上下の壁間の１／２の寸法よりも短くても問題はない。
更に、本実施形態の図３の（ａ）に示す小箱３は、４つの封緘片３ａ，３ａ，３ｂ，３ｂが形成された形態であるが、図３の（ｂ）に示すような３つの封緘片が形成された小箱３０であってもよい。即ち、この小箱３０は、各側壁の前縁を基端縁として、左右の側壁間の１／２の寸法分だけ延出された左右一対の封緘片３ａ，３ａと、上壁の前縁を基端縁として、上下の壁間の寸法分だけ延出された上側の封緘片３ｂの３つの封緘片３ａ，３ａ，３ｂからなる、所謂キャラメル箱タイプの小箱３０であって、図３の（ａ）に示す形態の小箱３と同様に、左右の封緘片３ａ，３ａを外側に９０度折り曲げてストッパー３ａ，３ａとして利用している。そして、この小箱３０は、上側の封緘片３ｂを内側に９０度折り曲げて、先端の折返し片を小箱３０の内部に挿入することで封緘するようになっている。このような封緘片３ａ，３ａ，３ｂが３つのキャラメル箱タイプの小箱３０は、封緘する際にテープ５等が不要となるメリットがある。
【００２６】
上記構成の小箱３は、小さい被梱包物（主に付属品）を内部に収納し、上下一対の封緘片３ｂ，３ｂを内側に９０度折り曲げて封緘した後、前述した箱本体２の開閉蓋４が形成された前壁下端部に挿入される。この小箱３を開閉蓋４に向って押し込むと、開閉蓋４の切れ目を入れていない箇所Ｐが切れて、略エ型の切れ目が完全に繋がるので、図１の（ｂ）に示すように、開閉蓋４が箱本体２の内側に向って開く。そして、そこから更に小箱３を押し込むと、小箱３のストッパー３ａ，３ａが箱本体２の前壁に密着した状態になる。この状態でも、小箱３は箱本体２にある程度固定されるが、より強固に箱本体２と小箱３を固定するために、図１の（ｃ）に示すように、ストッパー３ａ，３ａと箱本体２とをテープ５，５によって固定する。このように、箱本体２と小箱３のストッパー３ａをテープ５を貼り付けて固定することで、小箱３は確実に固定されて、輸送時等に小箱３が箱本体２から脱落してしまう心配がなくなる。
【００２７】
尚、箱本体２と小箱３との固定は、上記のように、各ストッパー３ａ毎にテープ５を貼り付ける他にも、図４に示すように、右側のストッパー３ａから左側のストッパー３ａに亘って１つのテープ５を貼り付ける方法もある。このように、右側のストッパー３ａから左側のストッパー３ａに亘って１つのテープ５を貼り付けると、小箱３の封緘と固定が同時に行われる。また、上記のようなテープ５以外にも、例えば両面テープ、ホットメルト、ステープラーなどを代用することができる。更に、本実施形態のように、ストッパー３ａが左右一対の封緘片３ａ，３ａである場合、図５に示すように、箱本体２の開閉蓋４の周囲（左右）にスリット２ａ,２ａを形成し、そのスリット２ａにストッパー３ａを差し込むことで、箱本体２と小箱３とを固定してもよい。
【００２８】
以上の説明から明らかなように、本発明の梱包用箱１は、大きい被梱包物を梱包する箱本体２と小さい被梱包物を梱包する小箱３から構成することで、メインの被梱包物を梱包してからでも、様々な中身の被梱包物を後から容易に追加することができる。また、箱本体２の在庫時は、開閉蓋４を閉じることで埃等の異物が侵入することもなく、小箱３を取り付ける際は、箱本体２の開閉蓋４が形成された箇所を押し込んで開閉蓋４を開けて、小箱３を挿入するという簡単な作業で取り付けることができる。そして、小箱３（ストッパー３ａ以外）は箱本体２の内部に収納されるので、小箱３が箱本体２から出っ張ってしまうことがなく、梱包用箱１を上下方向に積み上げることができると共に、輸送時に破損や脱落してしまう心配がない。
尚、付属品が多数存在する場合は、それに応じて仮蓋４と小箱３の数を増やすという簡単な作業で対応することができる。
【００２９】
図７は本発明の他の実施形態に係る梱包用箱を示す斜視図である。
【００３０】
前述した図１〜図３に示す実施形態の梱包用箱１は、開閉蓋４が箱本体２の前壁に形成されていたのに対して、本実施形態の梱包用箱１０は、図７に示すように、開閉蓋４が箱本体２の蓋（上面）に形成されている。この開閉蓋４も、図７の（ａ）に示すように、箱本体２の上面に略エ型の切れ目を入れると共に、右側辺４ｃ及び左側辺４ｄに折り目をつけることで形成されたもので、図７の（ｂ）に示すように、右側辺４ｃ及び左側辺４ｄを起点に下方に開閉するようになっている。そして、前述した実施形態と同様の小箱３を時計回りに９０度回転させて、ストッパー３ａ，３ａが上側に位置するように配置し、小箱３を箱本体２の下方に押し込んで、開閉蓋４を箱本体２の内側（下方）に向って開けて、その後、図７の（ｃ）に示すように、箱本体２の蓋（上面）とストッパー３ａ，３ａを密着させてテープ５，５によって固定している。このとき、開閉蓋４が箱本体２の上側内フラップと干渉する場合は、内フラップを短くしたり、干渉する箇所に穴をあけたりして対応するとよい。
この実施形態の梱包用箱１０のその他の構成は、前述した図１〜図３に示す実施形態の梱包用箱１と同様であるので、同一部位に同一符号を附して説明を省略する。
【００３１】
このように本発明の梱包用箱１，１０は、小箱３を取り付けると、小箱３の殆どの部分（ストッパー３ａ以外）が箱本体２の内側に収容されるので、箱本体２の底面以外であればどの箇所に開閉蓋４を形成してもよく、どこに形成しても小箱３が出っ張らないので、輸送時や保管時に破損したり脱落してしまう心配がない。この開閉蓋４は、上記のように、箱本体２の底面以外であればどの面に形成しても構わないが、輸送時の伝票や送付状などが貼り付けられる付近に形成すると、被梱包物の組み合わせ間違い等のポカ除けになるので特に好ましい。
【００３２】
また、開閉蓋４は、上記のように、ある一面にだけ形成される形態に限定されるものではなく、図８に示す梱包用箱１１のように、蓋（上面）と前壁に亘って対向する切れ目を入れると共に、蓋と前壁に対向する折り目を入れることで、蓋（上面）と前壁に亘って開閉蓋４を形成してもよい。このように、蓋（上面）と前壁に亘って開閉蓋４を形成すると、開閉蓋４が底壁の役割を果たすので、小箱３が箱本体２の内部に落下するのを防止することができる。そして、この実施形態の場合、小箱３のストッパー３ａ，３ａは、箱本体２の前壁と蓋（上面）にそれぞれ密着するよう、右側のストッパー３ａと左側のストッパー３ａが直交するように形成されており、このそれぞれのストッパー３ａ，３ａにテープ５，５を貼り付けることで小箱３を箱本体２に固定している。
尚、図面で黒く塗りつぶした箇所は空洞を意味するが、小箱３には、前述したようにストッパー３ａ，３ａが形成されているので、その左右の空洞に落ちてしまうことはない。
【００３３】
更に、開閉蓋４は、図９に示すように、箱本体２の蓋（上面）と前壁と右側壁の３面に亘って（四隅）形成してもよいし、図１０に示すように、開閉蓋４を箱本体２の前壁と右側壁に亘って形成してもよい。この実施形態の場合も、上記の場合と同様に、ストッパー３ａ，３ａが形成されているので、小箱３が左右の空洞に落ちることはない。
尚、図９、図１０に示す実施形態の小箱３は、箱本体２の前壁と右側壁に密着するようにストッパー３ａ，３ａが形成されている。
【００３４】
以上、種々の実施形態を詳述したが、本発明の梱包用箱はこれらに限定されるものではなく、これらを組み合わせた梱包用箱（例えば、開閉蓋４が前壁と蓋（上面）にそれぞれ形成されたもの）であってもよい。
【符号の説明】
【００３５】
１，１０，１１，１２，１３  梱包用箱
２    箱本体
３，３０    小箱
３ａ  封緘片（ストッパー）
３ｂ  封緘片
４，４０，４１，４２  仮蓋（開閉蓋）
４ａ  上辺
４ｂ  下辺
４ｃ  右側辺
４ｄ  左側片
Ｐ    切れ目を入れない箇所
５    テープ
【図１】
2012116502.tif 000003
【図２】
2012116502.tif 000004
【図３】
2012116502.tif 000005
【図４】
2012116502.tif 000006
【図５】
2012116502.tif 000007
【図６】
2012116502.tif 000008
【図７】
2012116502.tif 000009
【図８】
2012116502.tif 000010
【図９】
2012116502.tif 000011
【図１０】
2012116502.tif 000012